(57)【特許請求の範囲】
【請求項１】
目地部を介して設けられた左右の建物の上部位置の階を接続する一対の一体あるいは別体に形成されたＬ字状の手摺、床用目地プレートを有する上部目地装置を備える上部の渡り通路と、前記左右の建物の上部位置の階の下部位置の階を接続する、前記上部の渡り通路の下部に位置する一対の一体あるいは別体に形成されたＬ字状の手摺、床用目地プレートを有する下部目地装置を備える下部の渡り通路と、この下部の渡り通路の左右方向に位置する下部目地装置の一対の一体あるいは別体に形成されたＬ字状の手摺あるいは床用目地プレートに固定され、かつ上部が前記上部目地装置の底面近傍に位置する少なくとも二対の支柱と、この二対の支柱の上部に固定された前記上部の渡り通路の上部目地装置から落下する水を受けることができる、該上部目地装置の両側より外方へ突出する受け皿とからなることを特徴とする渡り通路。
【請求項２】
受け皿の目地装置の両側より外方へ突出する部位の上面に鳥止め用の回転プレートが設置されていることを特徴とする請求項１記載の渡り通路。
【発明の詳細な説明】
【技術分野】
【０００１】
本発明は目地部を介して設けられた左右の建物を接続する渡り通路に関する。
【背景技術】
【０００２】
従来、渡り通路は一方の建物の外側通路の外壁面に開口部を形成し、他方の建物に該開口部へ目地部を介して突出するように渡り通路本体を設け、該渡り通路本体の先端部と前記開口部との間の目地部を、前記一方の建物と他方の建物とが地震で異なる前後左右方向に揺れ動いても、その揺れ動きを吸収することができる一対のＬ字状の手摺と床用目地プレートを用いた目地装置を用いて覆っている。
このように構成された渡り通路は、左右の建物の各階を接続するように設けられることがある。
【０００３】
この場合、上の階の目地装置の手摺や床用目地プレートより、下の階の目地装置の手摺や床用目地プレートへ雨水等の水が落下して、下部階の渡り通路を通過する人が落下水や跳ね返り水が衣服や身体に付着し、汚れるという欠点があった。
また、横降り雨の場合も、渡り通路内へ浸入して、渡り通路を通行する人を濡らしてしまうという欠点があった。
【先行技術文献】
【特許文献】
【０００４】
【特許文献１】特許第２９０６３７４号公報
【特許文献２】特許第３０９５３５９号公報
【特許文献３】特許第３１５４９５７号公報
【発明の概要】
【発明が解決しようとする課題】
【０００５】
本発明は以上のような従来の欠点に鑑み、上部階の渡り通路の目地装置部より落下してくる水が下部階の渡り通路の目地装置内へ落下したり、跳ね返ったりした水や横降り雨の浸入を効率よく阻止でき、安全に下部階の渡り通路を通行することができ、かつ設置コストが高くなる側壁等を備えなくても良い渡り通路を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の上部位置の階を接続する一対の一体あるいは別体に形成されたＬ字状の手摺、床用目地プレートを有する上部目地装置を備える上部の渡り通路と、前記左右の建物の上部位置の階の下部位置の階を接続する、前記上部の渡り通路の下部に位置する一対の一体あるいは別体に形成されたＬ字状の手摺、床用目地プレートを有する下部目地装置を備える下部の渡り通路と、この下部の渡り通路の左右方向に位置する下部目地装置の一対の一体あるいは別体に形成されたＬ字状の手摺あるいは床用目地プレートに固定され、かつ上部が前記上部目地装置の底面近傍に位置する少なくとも二対の支柱と、この二対の支柱の上部に固定された前記上部の渡り通路の上部目地装置から落下する水を受けることができる、該上部目地装置の両側より外方へ突出する受け皿とでわたり通路を構成している。
【発明の効果】
【０００８】
以上の説明から明らかなように、本発明にあっては次に列挙する効果が得られる。
（１）請求項１により、上部位置の階を接続する上部の渡り通路の、上部目地装置の手摺や床用目地プレート部より下方へ落下する雨水等の水を下方に位置する受け皿で受けることができる。
したがって、下部の渡り通路を通行しても、上部から落下する水が衣服や身体に付着して汚れるのを確実に防止でき、安全に使用することができる。
（２）前記（１）によって、受け皿は上部の目地装置の両側より外方へ突出しているので、横降り雨が下部の目地装置内へ浸入するのを効率よく阻止でき、安全に使用することができる。
（３）前記（１）により、受け皿を下部目地装置の一対の手摺あるいは床用目地プレートに固定された少なくとも二対の支柱で支持しているので、左右の建物が異なる前後左右方向に揺れ動いても、上部の目地装置の下部位置に受け皿が位置して、確実に上部目地装置から落下する水を受けることができる。
（４）前記（１）により、上部目地装置からの落下する水を受け皿で確実に受けることができるので、渡り通路全体を覆って、コスト高となったり、開放感を損なったりするのを防止することができる。
（５）請求項２も前記（１）〜（４）と同様な効果が得られるとともに、回転プレートによって、鳥が上部目地装置の両側より突出している部位に止まるのを阻止できるとともに、該部位にゴミが入り込むのを効率よく阻止することができる。
【図面の簡単な説明】
【０００９】
【図１】本発明を実施するための第１の形態の正面図。
【図２】本発明を実施するための第１の形態の平面図。
【図３】図１の３−３線に沿う断面図。
【図４】図２の４−４線に沿う断面図。
【図５】本発明を実施するための第１の形態の目地部が広くなった動作説明図。
【図６】本発明を実施するための第１の形態の目地部が狭くなった動作説明図。
【図７】本発明を実施するための第１の形態の左右の建物の異なる前後方向の動作説明図。
【図８】本発明を実施するための第１の形態の横降り雨が降った時の説明図。
【図９】本発明を実施するための第２の形態の正面図。
【図１０】本発明を実施するための第２の形態の平面図。
【図１１】図１０の１１−１１線に沿う断面図。
【図１２】本発明を実施するための第３の形態の正面図。
【図１３】本発系を実施するための第３の形態の平面図。
【図１４】図１３の１４−１４線に沿う断面図。
【図１５】本発明を実施するための第4の形態の平面図。
【図１６】図１５の１６−１６線に沿う断面図。
【図１７】本発明を実施するための第4の形態の異なる前後方向の動作説明図。
【発明を実施するための形態】
【００１０】
以下、図面に示す本発明を実施するための形態により、本発明を詳細に説明する。
【００１１】
図１ないし図９に示す本発明を実施するための第１の形態において、１は本発明の渡り通路で、この渡り通路１は目地部２を介して設けられた左右の建物３、３の上部位置の階を接続する上部目地装置４を備える上部の渡り通路５および、前記上部位置の階の下の下部位置の階を接続する下部目地装置６を備える下部の渡り通路７が設けられている。
【００１２】
前記上部の渡り通路５は前記左右の建物３、３の一方の建物３の外側通路８の外壁９に形成された開口部１０と、この開口部１０と対応する前記左右の建物３、３の他方の建物３より突出する、該開口部１０との間に目地部２を有する断面チャンネル状の渡り通路本体１１と、前記開口部１０の下部位置の外壁９にほぼ水平となるように固定され、かつ内底に所定間隔で多数個のローラ１２が設けられたガイドレール１３、このガイドレール１３の多数個のローラ１２上に設けられた移動土台１４、この移動土台１４に後端部が固定され、先端部が渡り通路本体１１の先端部寄りの床面１１ａに、前記目地部２の寸法Ｌとほぼ同じ寸法だけ重なり合い、かつ先端部が傾斜面１５に形成された長方形状の床用目地プレート１６、この床用目地プレート１６の両端部の前記移動土台１４に内側端部および中央部に設けた支持脚１７、１８を介して壁面側手摺１９、１９が固定され、該壁面側手摺１９、１９の内側部と一体あるいは固定された前記床用目地プレート１６の両端部の上面および、前記渡り通路本体１１の内側壁１１ｂ、１１ｂ近傍に位置する渡り通路側手摺２０、２０とからなる一対の一体に形成された平面視Ｌ字状の手摺２１、２１からなる上部目地装置４とで構成されている。
【００１３】
前記下部の渡り通路７も前記上部の渡り通路５と同様に構成されている。
前記下部の渡り通路７の下部目地装置６の床用目地プレート１６の壁面側端部および、前記下部の渡り通路７の渡り通路本体１１の先端部寄りの部位に固定され、上面が前記上部目地装置４の底面近傍に位置する少なくとも二対の支柱２２、２２、２２、２２が設けられ、該二対の支柱２２、２２、２２、２２の上部には枠状の桁２３を介して前記上部の渡り通路５の上部目地装置４から落下する雨水や、掃除時の水を受けることができる、該上部目地装置４の両側より外方へ突出するとともに、一方の建物３側の底面が少し低くなる傾斜面で、かつ一方の建物３の外側通路８躯体の下部へ入り込むように設置される受け皿２４が固定されている。
なお、二対の支柱２２、２２、２２、２２は下部目地装置６の一対のＬ字状の手摺２１、２１に固定しても同様な作用効果が得られる。
【００１４】
また、受け皿２４内には落下した水の跳ね返りを阻止したり、該受け皿２４と上部目地装置４との間より内部に鳥が侵入して巣作りされるのを防止できるスポンジやゴム等のクッション材２５や侵入防止板を設置したり、上部目地装置４の両側より外方へ突出する部位には鳥が止まろうとすると回転する鳥止め用の回転プレート２６を設置してもよい。
なお、受け皿２４で受けた水は縦樋２７で外部へ排水する。
【００１５】
また、受け皿２４の一端部は一方の建物３の外壁９のガイドレール１３からの水を受けることができる下部に配置し、他端部は渡り通路本体１１の目地部側の端部からの水を受けることができる位置に配置されている。
上記構成の渡り通路１は地震で左右の建物３、３が異なる左右方向に揺れ動いた場合、図５および図６に示すように上部の渡り通路５の上部目地装置４と、下部の渡り通路７の下部目地装置６は同様な動作をする。
【００１６】
すなわち、床用目地プレート１６、１６および一対のＬ字状の手摺２１、２１、２１、２１の先端部は渡り通路本体１１、１１の先端部寄りの底面１１ａあるいは床用目地プレート１６上をスライド移動して、その揺れ動きを吸収する。
このため、受け皿２４も上部目地装置４の揺れ動きと同じとなり、該上部目地装置４から落下する水を確実に受けることができる。
【００１７】
また、地震で左右の建物３、３が異なる前後方向に揺れ動いた場合、図７に示すように他方の建物３の渡り通路本体１１、１１の前後方向の揺れ動きよって、床用目地プレート１６、１６および一対のＬ字状の手摺２１、２１、２１、２１は一方の建物３に取付けられたガイドレール１３の移動土台１４によって前後方向に移動して、その揺れ動きを吸収する。
【００１８】
すなわち、上部の渡り通路５の上部目地装置４と下部の渡り通路７の下部目地装置６は同様な動作となるので、受け皿２４と同じ動作となり、上部目地装置４から落下する水を確実に受け皿２４で受けることができる。
横降り雨の場合、図８に示すように上部目地装置４の両側より外方へ突出している受け皿２４の部位によって雨水を受け取り、下部目地装置６を通行しても、雨に濡れたりするのを効率よく阻止できる。
【００１９】
なお、一対のＬ字状の手摺２１、２１の壁面側手摺１９、１９の内側端部と中央部に支持脚１７、１７、１８、１８を設けて移動土台１４に取付けることにより、短い移動土台１４とガイドレール１３を用いることができるとともに、一対のＬ字状の手摺２１、２１が支持脚１７、１７、１８、１８で移動土台１４に取付けられているため、一対のＬ字状の手摺２１、２１の上部を支持する支持金具が不要となり、コストの低減と美観の向上を図ることができる。  
【００２０】
[発明を実施するための異なる形態]
次に、図９ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図９ないし図１１に示す本発明を実施するための第２の形態において、前記本発明を実施するための第１の形態と主に異なる点は、一方の建物３の外側通路８の床面８ａよりも他方の建物３の渡り通路本体１１の床面１１ａ高さを１００ミリメートル程高く設定して、上部の渡り通路５Ａと下部の渡り通路７Ａを設け、床目地プレート１６と一対のＬ字状の手摺２１、２１との間に隙間２８、２８を有する上部目地装置４Ａおよび下部目地装置６Ａを用いた点で、このように構成した渡り通路１Ａにしても、上部目地装置４Ａより落下する水を受け皿２４で確実に受けることができる。
【００２２】
図１２ないし図１４に示す本発明を実施するための第３の形態において、前記本発明を実施するための第１の形態と主に異なる点は、渡り通路本体１１、１１の先端部の床面１１ａ、１１ａに床用目地プレート１６、１６がスライド移動可能に支持する床用目地プレートスライド支持凹部２９、２９を形成し、該床用目地プレートスライド支持凹部２９、２９に床用目地プレート１６、１６の先端部を支持させるとともに、前記床用目地プレートスライド支持凹部２９、２９を床用目地プレート１６、１６がスライド移動できるようにカバープレート３０、３０で覆った上部目地装置４Ｂと下部目地装置６Ｂを用いる上部の渡り通路５Ｂと下部の渡り通路７Ｂとを用いるとともに、下部目地装置６Ｂの一対のＬ字状の手摺２１、２１、２１、２１に二対の支柱２２、２２、２２、２２を固定した点で、このように構成した渡り通路１Ｂにしても前記本発明を実施するための第１の形態と同様な作用効果が得られる。
【００２３】
図１５ないし図１７に示す本発明を実施するための第４の形態において、前記本発明を実施するための第１の形態と主に異なる点は、開口部１０の両側の外壁９面に床用目地プレート１６の上面よりの上部位置に底面が位置するように固定された戸袋３１、３１と、この戸袋３１、３１内にそれぞれスライド移動できるように取付けられた壁面側手摺１９Ａ、１９Ａと、この壁面側手摺１９Ａ、１９Ａの前記開口部１０側の端部に固定された係止片３２、３２と、前記壁面側手摺１９Ａ、１９Ａを常時収納方向に付勢する付勢スプリング３３、３３と、左右の建物３、３が地震で揺れ動き、前記係止片３２、３２が前記開口部１０側への移動時には係止し、反開口部１０側への移動時には係止されない床用目地プレート１６の両側後端部側に係合支柱としての一方の支柱２２、２２が位置する２対の支柱２２、２２、２２、２２と、この２対の支柱２２、２２、２２、２２間に設けられた渡り通路側手摺２０とからなる別体に形成されたＬ字状の手摺２１Ａを用いた点で、このような別体に形成されたＬ字状の手摺２１Ａを用いて構成した渡り通路１Ｃにしても前記本発明を実施するための第１の形態と同様な作用効果が得られる。本実施例においては床用目地プレート１６の両側後端部側に係合支柱を固定し、この係合支柱の近傍に渡り通路側手摺２０の端部の支柱を設けてもよい。
【００２４】
なお、前記本発明を実施するための各形態では一対のＬ字状の手摺２１、２１２１Ａ、２１Ａとして、パネルや板状部材で形成したものについて説明したが、本発明はこれに限らず、手摺部材として使用できる格子枠や枠部を用いてもよい。
【産業上の利用可能性】
【００２５】
本発明は渡り通路に使用される目地装置等を製造する産業で利用される。
【符号の説明】
【００２６】
１、１Ａ、１Ｂ、１Ｃ：渡り通路、
２：目地部、                  ３：建物、        
４、４Ａ、４Ｂ：上部目地装置、
５、５Ａ、５Ｂ：上部の渡り通路、
６、６Ａ、６Ｂ：下部目地装置、
７、７Ａ、７Ｂ：下部の渡り通路、
８：外側通路、      ９：外壁、
１０：開口部、      １１：渡り通路本体、
１２：ローラ、      １３：ガイドレール、
１４：移動土台、      １５：傾斜面、
１６：床用目地プレート、    １７、１８：支持脚、
１９、１９Ａ：壁面側手摺、  ２０：渡り通路側手摺、
２１、２１Ａ：Ｌ字状の手摺、  ２２：支柱、
２３：桁、        ２４：受け皿、
２５：クッション材、    ２６：回転プレート、
２７：縦樋、        ２８：隙間、
２９：床用目地プレートスライド支持凹部、
３０：カバープレート、        ３１：戸袋、
３２：係止片、                ３３：付勢スプリング。    
【図１】
0005508380.tif 000002
【図２】
0005508380.tif 000003
【図３】
0005508380.tif 000004
【図４】
0005508380.tif 000005
【図５】
0005508380.tif 000006
【図６】
0005508380.tif 000007
【図７】
0005508380.tif 000008
【図８】
0005508380.tif 000009
【図９】
0005508380.tif 000010
【図１０】
0005508380.tif 000011
【図１１】
0005508380.tif 000012
【図１２】
0005508380.tif 000013
【図１３】
0005508380.tif 000014
【図１４】
0005508380.tif 000015
【図１５】
0005508380.tif 000016
【図１６】
0005508380.tif 000017
【図１７】
0005508380.tif 000018